(57)【要約】【課題】キーボードと電子機器筐体を固定し、補修時などのキーボード取り外し時にはキーボードおよび電子機器筐体を破損することなく、容易にキーボードを取り外し可能にすることを目的とする【解決手段】キーボード保持テープ１２は両面テープである粘着部１２ａと、粘着性を持たない取り外し用タグ１２ｂとで構成されており、キーボードを電子機器筐体から取り外すときは、取り外し用タグを引っ張って取り外し用タグ部分周辺の接着部分を剥がす手順（ｅ）と、取り外し用タグを接着面に対し略平行方向に引っ張り、キーボード保持テープを引き抜く手順（ｇ）と、電子機器筐体からキーボードをとり外す手順（ｈ）とを含むキーボード取り外し方法であり、補修時などのキーボード取り外し時にキーボードおよび電子機器筐体を破損することがなく、作業性を向上させることができる。【選択図】図４
2007323559.tif 000002
【特許請求の範囲】
【請求項１】
キーボードと電子機器筐体とを貼り合わせて保持するキーボード保持テープであって、
前記キーボード保持テープは
両面テープである粘着部と、
粘着性を持たない取り外し用タグと
で構成されてことを特徴するキーボード保持テープ。
【請求項２】
請求項１に記載のキーボード保持テープを用いて前記キーボードと前記電子機器筐体とを貼り合わせて保持するキーボード保持方法であって、
前記電子機器筐体のキーボード保持部に前記保持テープを接着する手順と、
前記保持テープのタグ部を前記電子機器筐体の穴部を通して前記キーボード保持部の反対面に接着する手順と、
前記キーボードを前記キーボード保持部に載置して前記保持テープの粘着部の粘着性により保持する手順と
を含むキーボード保持方法。
【請求項３】
請求項１に記載のキーボード保持テープを用いて保持された前記キーボードを電子機器筐体から取り外すキーボード取り外し方法あって、
前記取り外し用タグを引っ張って当該取り外し用タグ部分周辺の接着部分を剥がす手順と、
前記取り外し用タグを接着面に対し略平行方向に引っ張り、前記キーボード保持テープを引き抜く手順と、
前記キーボードを引き上げて前記電子機器筐体のキーボード保持部から当該キーボードをとり外す手順と
を含むキーボード取り外し方法。
【発明の詳細な説明】
【技術分野】
【０００１】
本発明は電子機器などに組み込まれる入力装置であるキーボードを電子機器筐体に保持するキーボード保持テープおよびキーボードの保持方法、取り外し方法に関するものである。
【背景技術】
【０００２】
現在、多くの電子機器に入力装置としてキーボードが組み込まれているものが多い。
【０００３】
従来、電子機器におけるキーボードの保持する方法としては、ネジ止めにより電子機器筐体に固定する方法（例えば特許文献１）、爪により電子機器筐体に係合する方法（例えば特許文献２）などがあるが、これらは高さ方向にある程度の固定のための寸法を必要とする。しかしながら、近年は電子機器全体の薄型化が求められており、このため、ほとんど厚みのない両面テープ接着による電子機器筐体への固定方法が取られるようになってきた。この場合、浮き防止のため強粘着の両面テープを用い、電子機器筐体の一部に接着固定するという方法が多く用いられている。
【０００４】
この従来技術によれば、電子機器のキーボードが浮き上がることを防止でき、電子機器全体の薄型化することができる。
【特許文献１】特開平６−４３９６８号公報
【特許文献２】特開平７−６４６７０号公報
【発明の開示】
【発明が解決しようとする課題】
【０００５】
しかしながら上記の従来の構成では、強粘着の両面テープを用いた場合、キーボードの補修交換などの取り外し時には、キーボードや電子機器筐体を破損するなどという問題点を有していた。
【０００６】
本発明は上記従来の問題点を解決するもので、キーボードと電子機器筐体を強力に固定し、キーボードおよび電子機器筐体を破損することなく、容易にキーボードを取り外し可能にすることを目的とする。
【課題を解決するための手段】
【０００７】
この目的を達成するために本発明では、
キーボードと電子機器筐体とを貼り合わせて保持するキーボード保持テープであって、
前記キーボード保持テープは
両面テープである粘着部と、
粘着性を持たない取り外し用タグと
で構成されてことを特徴するキーボード保持テープとしたものであり、
補修時などのキーボード取り外し時にはキーボード保持テープのタグを接着面と平行な方向に引っ張ることにより、電子機器筐体からキーボードを容易に取り外し可能とする作用を有する。
【０００８】
一般的に、両面テープは厚みに対して接着面の長さ、幅が大きいため、接着面に垂直な方向に比べ、水平な方向への引っ張りに対して粘着部の糊が伸びやすい。本発明は上記の両面テープの性質を利用したものである。
【０００９】
この構成によって、電子機器全体の薄型化を図りつつ、キーボードの補修交換などの取り外し時には、キーボードおよび電子機器筐体などのキーボード保持部を破損することなく容易にキーボードを取り外すことができる。
【発明の効果】
【００１０】
以上のように、取り外し用タグ付き両面テープを用いたキーボードの保持方法は、キーボードの浮きを防止する固定方法の提供と同時に、補修時などのキーボード取り外し時にキーボードおよび電子機器筐体を破損することがなく、作業性を向上させることができるため、電子機器全体の薄型化という設計面においても、補修などのサービス面においても実用的な効果が大きい。
【発明を実施するための最良の形態】
【００１１】
以下、本発明の実施の形態について図を用いて説明する。
【００１２】
（実施の形態１）
図１は本発明の一実施の形態におけるキーボードの保持方法を示す電子機器の部分詳細図、図２は両面テープと取り外し用タグとで構成されたキーボード保持テープの平面図、側面図である。
【００１３】
図１、図２において、１１はキーボード、１２はキーボード保持テープ、１３は電子機器筐体でキーボード保持部１３ａを有する。キーボード保持テープ１２には粘着部（両面テープ部）１２ａを持たない取り外し用タグ１２ｂが配置されている。キーボード１１の接着面１１ａがキーボード保持テープ１２の粘着部１２ａを介して電子機器筐体１３のキーボード保持部１３ａに接着されて、キーボード１１が電子機器筐体１３に固定される。また、電子機器筐体１３のキーボード保持部１３ａ面にはキーボード保持テープ１２を反対面に通して保持する穴部１３ｂを複数箇所設けている。
【００１４】
以上のように構成されたキーボード保持方法によりキーボード保持テープ１２にて固定されたキーボード１１をキーボード保持部１３ａへの取り付けと外す動作について、図３，図４を用いて以下に説明する。
【００１５】
図３において、キーボード保持テープ１２の粘着部１２ａを電子機器筐体１３のキーボード保持部１３ａに接着させ（ａ）、タグ１２ｂを穴部１３ｂに通して（ｂ）、キーボード保持部１３ａの反対面に接着する（ｃ）。その後でキーボード１１を図の上方から載置して（ｄ）、キーボード保持テープ１２の粘着部１２ａの粘着により保持する。
【００１６】
一方、図４において、補修時などのキーボード取り外し時には、指先で取り外し用タグ１２ｂ部分周辺の接着部分を剥がし（ｅ）、次にタグ１２ｂを接着面１１ａに対し略平行方向（（ｆ）図矢印方向）に引っ張り、キーボード保持テープ１２を引き抜く（ｇ）。前述したように、一般的に両面テープは水平な方向への引っ張りに対して粘着部の糊が伸びやすいので破れることなく引き抜くことができる。キーボード保持テープ１２を取り除いているのでキーボード１１を図の上方向に引き上げて電子機器筐体の保持部１３ａから容易に取り外すことができる（ｈ）。従って、キーボード１１をキーボード保持部１３ａからそれぞれを破損することなく取り外すことができる。
【００１７】
以上のように本実施の形態によれば、キーボードと電子機器筐体を強固に接着しつつ、取り外しが必要な際にはそれぞれを破損することなく取り外すことが可能である。
【００１８】
なお、キーボード取り外し時に、タグ１２ｂを持って接着面に対し略平行方向に引っ張ってキーボード保持テープ１２を引き抜く場合、タグ１２ｂと粘着部１２ａの接着強度を十分保てないとタグと粘着部とが剥がれてタグの機能を為さない。従って、タグと粘着部との接着部分は他の粘着部１２ａより接着力を強力にする必要があり、別の接着剤で補強することが好ましい。あるいは、図５のようにタグ１２ｂを可塑性の樹脂で構成し、図のようなプレス工具で突起部を形成して水平方向の接合強度のみを増すものとしても良い。
【産業上の利用可能性】
【００１９】
本発明の電子機器におけるキーボードの保持方法は、電子機器全体の薄型化を図りつつ、キーボードをキーボード保持部に強力に接着でき、かつキーボードおよびキーボード保持部を破損させず取り外すことが可能であるため、電子機器などのキーボードの保持方法として有用である。
【図面の簡単な説明】
【００２０】
【図１】本発明の実施の形態１におけるキーボードの保持方法を示す電子機器の部分詳細図
【図２】本発明の実施の形態１におけるキーボードの保持方法に使用するキーボード保持テープの平面図、側面図
【図３】キーボードをキーボード保持部へ取り付ける手順を説明する図
【図４】キーボードをキーボード保持部から取り外す手順を説明する図
【図５】キーボード保持テープのタグと粘着部との接合強度を増すための説明図
【符号の説明】
【００２１】
１１  キーボード
１１ａ  接着面
１２  キーボード保持テープ
１２ａ  粘着部（両面テープ部）
１２ｂ  取り外し用タグ
１３  電子機器筐体
１３ａ  キーボード保持部
１３ｂ  筐体穴部
【図１】
2007323559.tif 000003
【図２】
2007323559.tif 000004
【図３】
2007323559.tif 000005
【図４】
2007323559.tif 000006
【図５】
2007323559.tif 000007